(57)【要約】【課題】表示画面のちらつきを防止して視認性を向上すること。【解決手段】出力要求部１２が表示継続時間を有する第１の表示出力要求を行なった後、第１の表示出力要求に対して優先する第２の表示出力要求を行なった場合、表示タイミング調整部２１が第２の表示の終了タイミングと第１の表示の終了タイミングとを比較し、終了タイミングが接近している場合には第１の表示の終了タイミングを第２の表示の終了タイミングに一致させる。【選択図】        図１
2006153972.tif 000002
【特許請求の範囲】
【請求項１】
表示装置の表示内容を制御する表示制御装置であって、
所定の表示継続時間を有する表示出力要求を作成する表示出力要求作成手段と、
前記表示出力作成手段が第１の表示継続時間を有する第１の表示出力要求を作成し、該作成後、前記第１の表示出力要求に優先し、第２の表示継続時間を有する第２の表示出力要求を作成した場合に、前記表示内容を調整する表示内容調整手段と、
を備えたことを特徴とする表示制御装置。
【請求項２】
前記表示内容調整手段は、前記第２の表示継続時間が終了した時点における前記第１の表示継続時間の残時間が所定値未満である場合に、前記第１の表示出力要求に係る表示の終了タイミングを前記第２の表示出力に係る表示の終了タイミングに同期させることを特徴とする請求項１に記載の表示制御装置。
【請求項３】
前記表示内容調整手段は、前記第２の表示継続時間が終了した時点における前記第１の表示継続時間の残時間が所定値未満である場合に、前記第１の表示継続時間を延長することを特徴とする請求項１に記載の表示制御装置。
【請求項４】
前記表示内容調整手段は、前記第１の表示継続時間中における前記第２の表示出力要求の受け付けを抑止することを特徴とする請求項１に記載の表示制御装置。
【請求項５】
前記表示内容調整手段は、前記第１の表示時間継続中に前記第２の表示出力要求を受け付けた場合に、前記第１の表示出力要求に係る表示の終了後、前記第２の表示出力要求に係る表示を開始することを特徴とする請求項１に記載の表示制御装置。
【請求項６】
前記表示装置が有する複数の表示部分領域に対応し、各表示部分領域に対して消灯もしくは点灯のいずれかを記憶する表示用メモリと、前記表示用メモリへの書き込み時に予め全記憶領域に対して消灯を書き込み、該書き込み後、点灯すべき表示部分領域に対応する記憶領域に対して選択的に点灯の書き込みを行なうメモリ制御手段と、をさらに備えたことを特徴とする請求項１〜５のいずれか一つに記載の表示制御装置。
【請求項７】
前記メモリ制御手段は、前記表示装置における表示部分領域を全て消灯する場合に、前記全記憶領域に対して消灯を書き込んだ段階で前記表示メモリの内容を表示装置に送出することを特徴とする請求項６に記載の表示制御装置。
【請求項８】
前記メモリ制御手段は、前記選択的な点灯の書き込みの実行中に、前記表示メモリの内容を表示装置に随時送出することを特徴とする請求項６または７に記載の表示制御装置。
【請求項９】
前記表示用メモリを複数備え、前記メモリ制御手段は、該複数の表示用メモリの内容を交互に表示装置に送出して表示内容を点滅させることを特徴とする請求項６，７または８に記載の表示制御装置。
【発明の詳細な説明】
【技術分野】
【０００１】
この発明は、表示装置の表示内容を制御する表示制御装置に関し、特に、表示画面のちらつきを防止して視認性を向上する表示制御装置に関するものである。
【背景技術】
【０００２】
従来、ＬＣＤ（Liquid Crystal Display）などの表示装置に対する表示制御において、表示にかかる処理の高速化や視認性の向上を実現すべく、各種技術が考案されてきた。例えば、特許文献１は、車両用ナビゲーション装置において交差点拡大図の割り込み要求と交通情報の割り込み情報とが時間的に接近して生ずる場合に、ディスプレイの表示内容が頻繁に変化するのを防止する技術を公開している。
【０００３】
また、特許文献２は、マルチウインドウを表示可能なグラフィックシステムにおいて、クリア処理を１画面毎に行わないことにより、描画プロセッサの数が少なくても、１画面当たりの平均クリア処理時間を大幅に短縮することができる高速画面表示装置を開示しており、特許文献３は、ゼロクリアにかかる時間を短縮して印字処理を高速化させることが可能な印刷装置、その制御方法および記憶媒体を開示している。
【０００４】
【特許文献１】特開平１０−４７９７９号公報
【特許文献２】特開平８−２７２３４４号公報
【特許文献３】特開２００２−３５６０１９号公報
【発明の開示】
【発明が解決しようとする課題】
【０００５】
ところで、表示装置に対する表示制御には、表示継続時間を設定するものがある。このような表示制御では、たとえばユーザから特定の情報の表示を求められた場合に、予め定めた時間の間その情報を表示した後、もとの表示に復帰する。
【０００６】
かかる表示継続時間を持たせた表示制御は、ユーザの操作量を大幅に削減する効果がある。そのため車両用の表示装置では、ユーザを運転操作に集中させ、車両走行の安全性を高める要請から、かかる表示制御が非常に有用である。
【０００７】
しかし、例えば表示継続時間が６秒である第１の表示を開始した後、２秒後に表示継続時間が３秒である第２の表示を実行すると、第２の表示の終了後、第１の表示が１秒間のみ実行されることとなる。このように複数の表示の終了タイミングが接近した場合、表示を視認するに不十分な短い時間のみ表示が実行され、ユーザに「画面のちらつき」と認識される、すなわち表示の視認性が低下する場合があるという問題点があった。
【０００８】
既に述べたように表示継続時間を設定した表示制御は、車両用の表示装置に採用されることが多く、車両用の表示装置では特に表示内容の視認性が重要であることから、かかる視認性の低下を防止することが重要な課題となっていた。
【０００９】
この発明は、上述した従来技術における問題点を解消し、課題を解決するためになされたものであり、表示画面のちらつきを防止して視認性を向上する表示制御装置を提供することを目的とする。
【課題を解決するための手段】
【００１０】
上述した課題を解決し、目的を達成するため、請求項１の発明に係る表示制御装置は、表示装置の表示内容を制御する表示制御装置であって、所定の表示継続時間を有する表示出力要求を作成する表示出力要求作成手段と、前記表示出力作成手段が第１の表示継続時間を有する第１の表示出力要求を作成し、該作成後、前記第１の表示出力要求に優先し、第２の表示継続時間を有する第２の表示出力要求を作成した場合に、前記表示内容を調整する表示内容調整手段と、を備えたことを特徴とする。
【００１１】
この請求項１の発明によれば表示制御装置は、第１の表示継続時間を有する第１の表示出力要求と、第２の表示継続時間を有する第２の表示出力要求とが作成された場合に、表示装置の表示内容を調整する。
【００１２】
また、請求項２の発明に係る表示制御装置は、請求項１の発明において、前記表示内容調整手段は、前記第２の表示継続時間が終了した時点における前記第１の表示継続時間の残時間が所定値未満である場合に、前記第１の表示出力要求に係る表示の終了タイミングを前記第２の表示出力に係る表示の終了タイミングに同期させることを特徴とする。
【００１３】
この請求項２の発明によれば表示制御装置は、第１の表示継続時間を有する第１の表示出力要求と、第２の表示継続時間を有する第２の表示出力要求とが作成され、第２の表示継続時間が終了した時点における第１の表示継続時間の残時間が所定値未満である場合に、第１の表示出力要求に係る表示の終了タイミングを第２の表示出力に係る表示の終了タイミングに同期させる。
【００１４】
また、請求項３の発明に係る表示制御装置は、請求項１の発明において、前記表示内容調整手段は、前記第２の表示継続時間が終了した時点における前記第１の表示継続時間の残時間が所定値未満である場合に、前記第１の表示継続時間を延長することを特徴とする。
【００１５】
この請求項３の発明によれば表示制御装置は、第１の表示継続時間を有する第１の表示出力要求と、第２の表示継続時間を有する第２の表示出力要求とが作成され、第２の表示継続時間が終了した時点における第１の表示継続時間の残時間が所定値未満である場合に、第１の表示継続時間を延長する。
【００１６】
また、請求項４の発明に係る表示制御装置は、請求項１の発明において、前記表示内容調整手段は、前記第１の表示継続時間中における前記第２の表示出力要求の受け付けを抑止することを特徴とする。
【００１７】
この請求項４の発明によれば表示制御装置は、第１の表示継続時間を有する第１の表示出力要求と、第２の表示継続時間を有する第２の表示出力要求とが作成された場合に、第１の表示継続時間中における第２の表示出力要求の受け付けを抑止する。
【００１８】
また、請求項５の発明に係る表示制御装置は、請求項１の発明において、前記表示内容調整手段は、前記第１の表示時間継続中に前記第２の表示出力要求を受け付けた場合に、前記第１の表示出力要求に係る表示の終了後、前記第２の表示出力要求に係る表示を開始することを特徴とする。
【００１９】
この請求項５の発明によれば表示制御装置は、第１の表示継続時間を有する第１の表示出力要求と、第２の表示継続時間を有する第２の表示出力要求とが作成された場合に、第１の表示出力要求に係る表示の終了後、第２の表示出力要求に係る表示を開始する。
【００２０】
また、請求項６の発明に係る表示制御装置は、請求項１〜５のいずれか一つの発明において、前記表示装置が有する複数の表示部分領域に対応し、各表示部分領域に対して消灯もしくは点灯のいずれかを記憶する表示用メモリと、前記表示用メモリへの書き込み時に予め全記憶領域に対して消灯を書き込み、該書き込み後、点灯すべき表示部分領域に対応する記憶領域に対して選択的に点灯の書き込みを行なうメモリ制御手段と、をさらに備えたことを特徴とする。
【００２１】
この請求項６の発明によれば表示制御装置は、表示用メモリへの書き込み時に予め全記憶領域に対して消灯を書き込み、書き込み後、点灯すべき表示部分領域に対応する記憶領域に対して選択的に点灯の書き込みを行なう。
【００２２】
また、請求項７の発明に係る表示制御装置は、請求項６の発明において、前記メモリ制御手段は、前記表示装置における表示部分領域を全て消灯する場合に、前記全記憶領域に対して消灯を書き込んだ段階で前記表示メモリの内容を表示装置に送出することを特徴とする。
【００２３】
この請求項７の発明によれば表示制御装置は、表示装置における表示部分領域を全て消灯する場合に、前記全記憶領域に対して消灯を書き込んだ段階で前記表示メモリの内容を表示装置に送出する。
【００２４】
また、請求項８の発明に係る表示制御装置は、請求項６または７の発明において、前記メモリ制御手段は、前記選択的な点灯の書き込みの実行中に、前記表示メモリの内容を表示装置に随時送出することを特徴とする。
【００２５】
この請求項８の発明によれば表示制御装置は、表示用メモリへの書き込み時に予め全記憶領域に対して消灯を書き込み、書き込み後、点灯すべき表示部分領域に対応する記憶領域に対して選択的に点灯の書き込みを行なうとともに、表示メモリの内容を表示装置に随時送出する。
【００２６】
また、請求項９の発明に係る表示制御装置は、請求項６，７または８の発明において、前記表示用メモリを複数備え、前記メモリ制御手段は、該複数の表示用メモリの内容を交互に表示装置に送出して表示内容を点滅させることを特徴とする。
【００２７】
この請求項９の発明によれば表示制御装置は、複数の表示用メモリの内容を交互に表示装置に送出して表示内容を点滅させる。
【発明の効果】
【００２８】
請求項１の発明によれば表示制御装置は、第１の表示継続時間を有する第１の表示出力要求と、第２の表示継続時間を有する第２の表示出力要求とが作成された場合に、表示装置の表示内容を調整するので、表示画面のちらつきを防止して視認性を向上した表示制御装置を得ることができるという効果を奏する。
【００２９】
また、請求項２の発明によれば表示制御装置は、第１の表示継続時間を有する第１の表示出力要求と、第２の表示継続時間を有する第２の表示出力要求とが作成され、第２の表示継続時間が終了した時点における第１の表示継続時間の残時間が所定値未満である場合に、第１の表示出力要求に係る表示の終了タイミングを第２の表示出力に係る表示の終了タイミングに同期させるので、短時間の表示の発生を抑制して表示画面のちらつきを防止し、視認性を向上した表示制御装置を得ることができるという効果を奏する。
【００３０】
また、請求項３の発明によれば表示制御装置は、第１の表示継続時間を有する第１の表示出力要求と、第２の表示継続時間を有する第２の表示出力要求とが作成され、第２の表示継続時間が終了した時点における第１の表示継続時間の残時間が所定値未満である場合に、第１の表示継続時間を延長するので、視認に充分な時間を確保して表示画面のちらつきを防止し、視認性を向上した表示制御装置を得ることができるという効果を奏する。
【００３１】
また、請求項４の発明によれば表示制御装置は、第１の表示継続時間を有する第１の表示出力要求と、第２の表示継続時間を有する第２の表示出力要求とが作成された場合に、第１の表示継続時間中における第２の表示出力要求の受け付けを抑止するので、表示画面のちらつきを簡易に防止して視認性を向上した表示制御装置を得ることができるという効果を奏する。
【００３２】
また、請求項５の発明によれば表示制御装置は、第１の表示継続時間を有する第１の表示出力要求と、第２の表示継続時間を有する第２の表示出力要求とが作成された場合に、第１の表示出力要求に係る表示の終了後、第２の表示出力要求に係る表示を開始するので、表示画面のちらつきを簡易に防止しつつ各表示を実行し、視認性を向上した表示制御装置を得ることができるという効果を奏する。
【００３３】
また、請求項６の発明によれば表示制御装置は、表示用メモリへの書き込み時に予め全記憶領域に対して消灯を書き込み、書き込み後、点灯すべき表示部分領域に対応する記憶領域に対して選択的に点灯の書き込みを行なうので、表示に係る処理の時間を短縮した表示制御装置を得ることができるという効果を奏する。
【００３４】
また、請求項７の発明によれば表示制御装置は、表示装置における表示部分領域を全て消灯する場合に、前記全記憶領域に対して消灯を書き込んだ段階で前記表示メモリの内容を表示装置に送出するので、画面のクリアを高速かつ低負荷で実行可能な表示制御装置を得ることができるという効果を奏する。
【００３５】
また、請求項８の発明によれば表示制御装置は、表示用メモリへの書き込み時に予め全記憶領域に対して消灯を書き込み、書き込み後、点灯すべき表示部分領域に対応する記憶領域に対して選択的に点灯の書き込みを行なうとともに、表示メモリの内容を表示装置に随時送出するので、表示に係る処理の時間を短縮し、表示を随時更新可能な表示制御装置を得ることができるという効果を奏する。
【００３６】
また、請求項９の発明によれば表示制御装置は、複数の表示用メモリの内容を交互に表示装置に送出して表示内容を点滅させるので、表示に係る処理の時間を短縮し、簡易に点滅表示を実行可能な表示制御装置を得ることができるという効果を奏する。
【発明を実施するための最良の形態】
【００３７】
以下に添付図面を参照して、この発明に係る表示制御装置の好適な実施の形態である車載オーディオ装置について詳細に説明する。
【実施例】
【００３８】
図１は、本発明の実施例である車載オーディオ装置１の概要構成を示す概要構成図である。同図に示すように、車載オーディオ装置１は、その内部に操作入力受付部１１、出力要求部１２、ディスクドライブ１３、音声処理部１４、表示処理部１５、表示用ＲＡＭ１６、スピーカ１７およびディスプレイ１８を備える。
【００３９】
操作入力受付部１１は、スイッチやタッチパネルなどを用いたユーザからの操作入力を受け付ける処理部であり、ディスクドライブ１３は、ＣＤ、ＤＶＤ、ハードディスクなどの記憶媒体に記憶した情報を読み出す処理部である。
【００４０】
出力要求部１２は、操作入力受付部１１が受け付けた操作入力に基づいてディスクドライブ１３から必要な情報を読み出し、出力する内容を決定する。そして、出力要求部１２は、出力する内容のうち音声部分を音声出力要求として音声処理部１４に出力し、表示部分を表示出力要求として表示処理部１５に出力する。
【００４１】
音声処理部１４は、出力要求部１２からの音声出力要求に基づいて出力音声データを作成し、スピーカ１７から出力する。同様に、表示処理部１５は、出力要求部１２からの表示出力要求に基づいて出力表示データを作成し、表示装置であるディスプレイ１８に表示する。
【００４２】
ここで、表示処理部１５は、出力表示データの展開と一時的な記憶に、表示用メモリである表示用ＲＡＭ１６を使用する。また、表示処理部１５は、その内部に表示タイミング調整部２１およびＲＡＭ制御部２２を有する。
【００４３】
表示タイミング調整部２１は、表示継続時間を有する複数の表示出力要求を出力要求部１２から受け付けた場合に、表示のタイミングを調節する処理を行なう。また、ＲＡＭ制御部２２は、表示用ＲＡＭ１６への書き込みと、書き込んだ内容のディスプレイ１８への送出を制御する制御部である。
【００４４】
つづいて、表示タイミング調整部２１による処理の具体例について、図２を参照して説明する。同図では、出力要求部１２は、時刻ｔ１に表示継続時間が５秒である表示出力要求Ｄ１を出力し、その約２秒後である時刻ｔ２に表示継続時間が３秒であり、かつ表示出力要求Ｄ１に優先する表示出力要求Ｄ２を出力している。
【００４５】
したがって、表示タイミング調整部２１が表示の内容を調整しなければ、表示画面Ｐ０に示すように、時刻ｔ０から時刻ｔ１まで定常表示Ｄ０を行なった後、時刻ｔ１から表示出力要求Ｄ１に対応する画面表示（第１の表示）を実行する。そして、時刻ｔ２から表示出力要求Ｄ２に対応する画面表示（第２の表示）を実行し、時刻ｔ２から３秒後、すなわち表示出力要求Ｄ２の表示継続時間が終了する時刻ｔ３に第２の表示を終了する。
【００４６】
この第２の表示の終了時点（時刻ｔ３）において、表示出力要求Ｄ１の表示継続時間がまだ終了していないので、第１の表示に復帰するのであるが、表示出力要求Ｄ１の表示継続時間の残り時間が短いため、その直後である時刻ｔ４に第１の表示が終了し、定常表示Ｄ０に復帰することになる。
【００４７】
このように、第１の表示と第２の表示の終了タイミングが接近した場合、表示を視認するに不十分な短い時間（時刻ｔ３から時刻ｔ４の間）のみ第１の表示が実行されてユーザに「画面のちらつき」と認識され、表示の視認性が低下する。
【００４８】
そこで、表示タイミング調整部２１は、第１の表示と第２の表示の終了タイミングが近い場合に、表示内容を調整する。調整の具体的な手法としては「１．第１の表示の終了タイミングを第２の表示の終了タイミングに合わせる」、「２．第１の表示の実行中は、第２の表示を行なわない」、「３．第１の表示の継続時間を延長する」、「４．第１の表示終了後、第２の表示を実行する。」などを用いることができる。
【００４９】
たとえば、「１．第１の表示の終了タイミングを第２の表示の終了タイミングに合わせる」を用いる場合、表示画面Ｐ１に示すように、時刻ｔ３において第２の表示を終了した時点で定常画面Ｄ０に復帰し、第１の表示を実行しない。
【００５０】
また、「２．第１の表示の実行中は、第２の表示を行なわない」を用いる場合、表示画面Ｐ２に示すように、第１の表示の実行中は表示出力要求Ｄ２を受け付けず、第２の画面を表示しない。
【００５１】
さらに、「３．第１の表示の継続時間を延長する」を用いる場合、表示画面Ｐ３に示すように、時刻ｔ３において第２の表示を終了した後、第１の画面表示の時間を延長し、時刻ｔ５まで継続する。
【００５２】
また、「４．第１の表示終了後、第２の表示を実行する。」を用いる場合、表示画面Ｐ４に示すように、第１の表示が終了する時刻ｔ４まで第２の表示を行なわず、時刻ｔ４から３秒間、時刻ｔ６まで第２の画面を表示する。
【００５３】
つぎに、「１．第１の表示の終了タイミングを第２の表示の終了タイミングに合わせる」を用いる場合の表示処理部１５の具体的な処理動作について、図３に示したフローチャートを参照して説明する。なお、この処理フローは車載オーディオ装置１の稼動中に繰り返し実行される処理である。
【００５４】
まず、表示処理部１５は、表示出力要求の有無を監視し（ステップＳ１０１）、表示出力要求がない場合（ステップＳ１０１，Ｎｏ）、定常表示を実行して（ステップＳ１０８）、処理を終了する。
【００５５】
一方、表示出力要求がある場合（ステップＳ１０１，Ｙｅｓ）、表示処理部１５は、要求された表示（第１の表示）を実行する（ステップＳ１０２）。その後、第１の表示に優先する第２の表示出力要求が発生したか否かを判定する（ステップＳ１０３）。
【００５６】
その結果、第２の表示出力要求がある場合（ステップＳ１０３，Ｙｅｓ）、表示処理部１５は、第２の表示を実行する（ステップＳ１０４）。その後、第２の表示の表示継続時間が終了したか否かを判定し（ステップＳ１０５）、表示継続時間が終了していない場合（ステップＳ１０５，Ｎｏ）には再び第２の表示を実行する（ステップＳ１０４）。
【００５７】
一方、第２の表示の表示継続時間が終了した場合（ステップＳ１０５，Ｙｅｓ）、表示タイミング調整部２１は、第１の表示継続時間の残り時間が所定値以上であるか否かを判定する（ステップＳ１０６）。その結果、第１の表示の表示継続時間が所定時間以上である場合（ステップＳ１０６，Ｙｅｓ）、もしくは、第２の表示出力要求がない場合（ステップＳ１０３，Ｎｏ）、第１の表示の表示継続時間が終了したか否かを判定する（ステップＳ１０７）。
【００５８】
そして、第１の表示継続時間が終了していない場合（ステップＳ１０７，Ｎｏ）、表示処理部１５は、再び第１の表示を実行する（ステップＳ１０２）。
【００５９】
一方、第１の表示継続時間が終了している場合（ステップＳ１０７，Ｙｅｓ）および第１の表示継続時間の残り時間が所定値未満である場合（ステップＳ１０６，Ｎｏ）、表示処理部１５は、定常表示を実行して（ステップＳ１０８）、処理を終了する。
【００６０】
つづいて、「３．第１の表示の継続時間を延長する」を用いる場合の表示処理部１５の具体的な処理動作について、図４に示したフローチャートを参照して説明する。なお、この処理フローは車載オーディオ装置１の稼動中に繰り返し実行される処理である。
【００６１】
まず、表示処理部１５は、表示出力要求の有無を監視し（ステップＳ２０１）、表示出力要求がない場合（ステップＳ２０１，Ｎｏ）、定常表示を実行して（ステップＳ２０９）、処理を終了する。
【００６２】
一方、表示出力要求がある場合（ステップＳ２０１，Ｙｅｓ）、表示処理部１５は、要求された表示（第１の表示）を実行する（ステップＳ２０２）。その後、第１の表示に優先する第２の表示出力要求が発生したか否かを判定する（ステップＳ２０３）。
【００６３】
その結果、第２の表示出力要求がある場合（ステップＳ２０３，Ｙｅｓ）、表示処理部１５は、第２の表示を実行する（ステップＳ２０４）。その後、第２の表示の表示継続時間が終了したか否かを判定し（ステップＳ２０５）、表示継続時間が終了していない場合（ステップＳ２０５，Ｎｏ）には再び第２の表示を実行する（ステップＳ２０４）。
【００６４】
一方、第２の表示の表示継続時間が終了した場合（ステップＳ２０５，Ｙｅｓ）、表示タイミング調整部２１は、第１の表示継続時間の残り時間が所定値以上であるか否かを判定する（ステップＳ２０６）。その結果、第１の表示継続時間の残り時間が所定値未満である場合（ステップＳ２０６，Ｎｏ）、表示タイミング調整部２１は、第１の表示の表示時間を延長する（ステップＳ２０７）。
【００６５】
そして、第２の表示出力要求がない場合（ステップＳ２０３，Ｎｏ）、第１の表示の表示継続時間が所定時間以上である場合（ステップＳ２０６，Ｙｅｓ）、もしくはステップＳ２０７終了後、第１の表示の表示継続時間が終了したか否かを判定する（ステップＳ２０８）。
【００６６】
その結果、第１の表示継続時間が終了していない場合（ステップＳ２０８，Ｎｏ）、表示処理部１５は、再び第１の表示を実行する（ステップＳ２０２）。一方、第１の表示継続時間が終了している場合（ステップＳ２０８，Ｙｅｓ）表示処理部１５は、定常表示を実行して（ステップＳ２０９）、処理を終了する。
【００６７】
「２．第１の表示の実行中は、第２の表示を行なわない」および「４．第１の表示終了後、第２の表示を実行する」を用いる場合の表示処理部１５の処理動作は、表示出力要求の発生を監視し、第１の表示の継続中は、第２の表示出力要求を受け付けない、もしくは第２の表示の実行を待機させる処理であり、ここでは詳細な説明を割愛する。
【００６８】
このように、表示継続時間を有する複数の表示出力要求を出力要求部１２から受け付けた場合に、表示タイミング調整部２１によって表示のタイミングを調節することで、短時間の表示の発生を抑制して「画面のちらつき」を防止し、表示の視認性を向上することができる。
【００６９】
つぎに、ＲＡＭ制御部２２による制御処理について、図５を参照して説明する。同図では、説明を簡明にするために、表示用ＲＡＭの記憶領域の一部を示し、その記憶領域を用いてアルファベット１文字の表示を行なう場合について説明する。
【００７０】
まず、同図では横方向に５領域（ａ〜ｅ）、縦方向に５領域（１〜５）の２５領域を示している。さらに、各記憶領域はディスプレイ１８の部分表示領域に対応し、記憶領域に「０」を記憶した状態が対応する部分表示領域の「消灯」、記憶領域に「１」を記憶した状態が対応する記憶領域の「点灯」を示している。
【００７１】
したがって、記憶領域「ｂ−２」〜「ｂ−５」、「ｃ−１」、「ｃ−３」、「ｄ−２」〜「ｄ−５」にそれぞれ「１」を書き込み、他の記憶領域に「０」を書き込んだ状態で表示用ＲＡＭ１６の内容をディスプレイ１８に送信すると、「Ａ」が表示されることとなる。
【００７２】
同様に、記憶領域「ｂ−１」〜「ｂ−５」、「ｃ−１」、「ｃ−３」、「ｃ−５」、「ｄ−２」、「ｄ−４」にそれぞれ「１」を書き込み、他の記憶領域に「０」を書き込んだ状態で表示用ＲＡＭ１６の内容をディスプレイ１８に送信すると、「Ｂ」が表示されることとなる。
【００７３】
そして、表示を「Ａ」から「Ｂ」に変更する場合、従来では「ａ−１」〜「ｅ−５」に対し、順次「０」か「１」のいずれかを書き込んでいた。しかし、この方法では、書き換えの度に各記憶領域に「０」と「１」のいずれを書き込むか判定し、書き込み処理を行なう必要があるので、処理が煩雑化および長時間化する。
【００７４】
そこで、ＲＡＭ制御部２２は、書き込み処理を行なう場合に一旦全ての記憶領域をクリア（全ての記憶領域の値を「０」に）し、その後、点灯すべき部分表示領域に対応する記憶領域のみに選択的に「１」を書き込むことで、処理時間を短縮する。
【００７５】
このＲＡＭ制御部２２の処理動作を図６のフローチャートに示す。同図に示すように、ＲＡＭ制御部２２は、まず、表示ＲＡＭ１６の全領域をクリアする（ステップＳ３０１）。そして、必要部分のみ編集、すなわち点灯すべき部分表示領域に対応する記憶領域のみに選択的に「１」を書き込む（ステップＳ３０２）。その後、表示ＲＡＭ１６の内容をディスプレイ１８に送信する（ステップＳ３０３）ことで、表示を実行する。
【００７６】
ここで、表示を行なわない場合、すなわち全ての部分表示領域を消灯する場合には、ステップＳ３０１の処理のあと、ステップＳ３０２を省略して表示ＲＡＭ１６の内容を送信（ステップＳ３０３）すればよい。
【００７７】
また、ステップＳ３０２の処理の間、表示ＲＡＭ１６の内容を随時送信することで、文字が徐々に書かれているように表示することができる。さらに、表示ＲＡＭ１６を複数持たせて、その内容を交互に送信すれば、ディスプレイ１８の表示内容を点滅させることができる。
【００７８】
上述してきたように、本実施例にかかる車載オーディオ装置では、出力要求部１２が表示継続時間を有する複数の表示出力要求を出力した場合に、表示タイミング調整部２１によって表示のタイミングを調節することで、短時間の表示の発生を抑制して「画面のちらつき」を防止し、表示の視認性を向上することができる。
【００７９】
また、ＲＡＭ制御部２２が表示用ＲＡＭ１６に書き込み処理を行なう場合に一旦全ての記憶領域をクリアし、その後、点灯すべき部分表示領域に対応する記憶領域のみに選択的に書き込みを行なうことで処理時間を短縮することができる。
【００８０】
なお、本実施例において表示の終了タイミングが接近しているか否かの判定には、任意の値を用いることができる。同様に、第１の表示を延長する場合に、その延長の時間についても任意の値を用いることができる。
【００８１】
さらに、本実施例では、第１の表示と第２の表示について説明したが、３以上の表示を行なう場合であっても同様に本発明を適用することができる。
【００８２】
また、本実施例では車載オーディオ装置を例に説明を行ったが、本発明の利用はこれに限定されるものではなく、表示継続時間を有する複数の表示出力を行なう表示制御に広く適用することができる。
【産業上の利用可能性】
【００８３】
以上のように、本発明にかかる表示制御装置は、表示内容の制御に有用であり、特に、表示継続時間を有する複数の表示出力を行なう場合の表示制御に適している。
【図面の簡単な説明】
【００８４】
【図１】本発明の実施例である車載オーディオ装置の概要構成を示す概要構成図である。
【図２】図１に示した表示タイミング調整部による処理について説明する説明図である。
【図３】終了タイミングを合わせる場合の処理動作を説明するフローチャートである。
【図４】第１の表示を延長する場合の処理動作を説明するフローチャートである。
【図５】図１に示したＲＡＭ制御部による処理について説明する説明図である。
【図６】図１に示したＲＡＭ制御部の処理動作を説明するフローチャートである。
【符号の説明】
【００８５】
１    車載オーディオ装置
１１    操作入力受付部
１２    出力要求部
１３    ディスクドライブ
１４    音声処理部
１５    表示処理部
１６    表示用ＲＡＭ
１７    スピーカ
１８    ディスプレイ
【図１】
2006153972.tif 000003
【図２】
2006153972.tif 000004
【図３】
2006153972.tif 000005
【図４】
2006153972.tif 000006
【図５】
2006153972.tif 000007
【図６】
2006153972.tif 000008